(57)【要約】【課題】設計の自由度の高いコイル装置を提供すること。【解決手段】トランス１０は、第１コイル部３５を構成する第１ワイヤ３７と、第２コイル部３６を構成する第２ワイヤ３８とが巻回されるボビン２０と、第１ワイヤ３７の一対の第１リード部３７ａ，３７ｂと、第２ワイヤ３８の一対の第２リード部３８ａ，３８ｂとが引き出される端子台８０とを有する。端子台８０は、ボビン２０とは別体で構成してあり、ボビン２０に取り付けられている。【選択図】図２
2019134097.tif 000002
【特許請求の範囲】
【請求項１】
第１コイル部を構成する第１ワイヤと、第２コイル部を構成する第２ワイヤとが巻回されるボビンと、
前記第１ワイヤの一対の第１リード部と、前記第２ワイヤの一対の第２リード部とが引き出される端子台とを有し、
前記端子台は、前記ボビンとは別体で構成してあり、前記ボビンに取り付けられていることを特徴とするコイル装置。
【請求項２】
前記ボビンは、前記端子台と接続可能な端子台接続部を有することを特徴とする請求項１に記載のコイル装置。
【請求項３】
前記端子台接続部には、ボビン側係合凸部またはボビン側係合凹部が形成してあり、
前記端子台には、前記ボビン側係合凸部に係合する端子台側係合凹部または前記ボビン側係合凹部に係合する端子台側係合凸部が形成してあることを特徴とする請求項１または２に記載のコイル装置。
【請求項４】
前記第１ワイヤの一方の第１リード部は、前記端子台の一方側の端部付近に向かって引き出され、
前記第２ワイヤの一方の第２リード部は、前記端子台の他方側の端部付近に向かって引き出され、
前記第１ワイヤの他方の第１リード部と、前記第２ワイヤの他方の第２リード部とは、前記端子台の中央付近に向かって、隣り合うように引き出され、絶縁アダプタで絶縁されていることを特徴とする請求項１〜３のいずれかに記載のコイル装置。
【請求項５】
前記第１ワイヤの他方の第１リード部と、前記第２ワイヤの他方の第２リード部とは、前記絶縁アダプタの外側と内側に配置してあることを特徴とする請求項４に記載のコイル装置。
【請求項６】
前記ボビンには、外周に前記第１ワイヤおよび前記第２ワイヤが巻回される巻回筒部と、
前記巻回筒部の外周に、巻回軸方向に相互に異なる位置にそれぞれ形成してある複数の鍔部とが形成してあり、
前記複数の鍔部のいずれかの前記端子台側の周方向の一部には、第１延長鍔部が形成してあり、
前記第１延長鍔部には、前記一方の第１リード部を係止する第１リード係止部が形成してあることを特徴とする請求項１〜５のいずれかのコイル装置。
【請求項７】
前記複数の鍔部のいずれかの前記端子台側の周方向の一部には、前記第１延長鍔部とは反対方向に延びる第２延長鍔部が形成してあり、
前記第２延長鍔部には、前記一方の第２リード部を係止する第２リード係止部が形成してあることを特徴とする請求項６に記載のコイル装置。
【請求項８】
前記第１ワイヤの一方の第１リード部は、前記巻回筒部の外周のうち、前記端子台から最も離れた位置から引き出され、
前記第２ワイヤの一方の第２リード部は、前記巻回筒部の外周のうち、前記端子台に最も近い位置から引き出されていることを特徴とする請求項１〜７のいずれかに記載のコイル装置。
【請求項９】
前記第１ワイヤおよび前記第２ワイヤは、前記巻回筒部にα巻きされていることを特徴とする請求項６〜８のいずれかに記載のコイル装置。
【発明の詳細な説明】
【技術分野】
【０００１】
本発明は、たとえばトランスなどとして好適に用いられるコイル装置に関する。
【背景技術】
【０００２】
特許文献１には、ワイヤの一対のリード部が引き出される端子台を具備するコイル装置が開示されている。しかしながら、特許文献１のコイル装置では、端子台がボビンに一体成形してあるため、端子台の仕様変更が生じた場合には、ボビン全体を一から作り直さなければならず、設計の自由度が低かった。
【先行技術文献】
【特許文献】
【０００３】
【特許文献１】特開２０１３−２５４８９０号公報
【発明の概要】
【発明が解決しようとする課題】
【０００４】
本発明は、このような実状に鑑みてなされ、その目的は、設計の自由度の高いコイル装置を提供することである。
【課題を解決するための手段】
【０００５】
上記目的を達成するために、本発明に係るコイル装置は、
第１コイル部を構成する第１ワイヤと、第２コイル部を構成する第２ワイヤとが巻回されるボビンと、
前記第１ワイヤの一対の第１リード部と、前記第２ワイヤの一対の第２リード部とが引き出される端子台とを有し、
前記端子台は、前記ボビンとは別体で構成してあり、前記ボビンに取り付けられていることを特徴とする
【０００６】
本発明に係るコイル装置では、端子台が、ボビンとは別体で構成してあり、ボビンに取り付けられている。そのため、端子台の仕様変更が生じた場合には、ボビンに取り付けられた端子台を、その仕様に即した端子台に交換するだけでよく、ボビン全体を一から作り直す必要がない。したがって、端子台の仕様変更に柔軟に対応することが可能となり、設計の自由度の高いコイル装置を提供することができる。
【０００７】
また、ボビンと端子台を別個に成形することが可能となり、各々に適した材料を用いて成形を行うことができる。たとえば、熱伝導性の高い材料でボビンを成形することにより、熱伝導性に優れたコイル装置を得ることができる。また、ボビンを構成する材料にフィラーを含めることにより、強度に優れたボビンを得ることが可能となり、コイル装置の強度を高めることができる。また、成形性に優れた材料で端子台を成形することにより、複雑な形状からなる端子台に対しても、寸法精度を高めることが可能となり、コイル装置の小型化に寄与することができる。
【０００８】
また、ボビンを成形する際には、端子台の仕様を考慮に入れた金型を用いる必要がなく、ボビンの仕様に即した金型を用いることが可能である。そのため、端子台が一体化してあるボビンを成形する場合に比べて、金型の構造をシンプルにすることができ、製造が容易になる。
【０００９】
好ましくは、前記ボビンは、前記端子台と接続可能な端子台接続部を有する。このような構成とすることにより、端子台接続部を介して、端子台をボビンに容易に取り付けることができる。
【００１０】
好ましくは、前記端子台接続部には、ボビン側係合凸部またはボビン側係合凹部が形成してあり、前記端子台には、前記ボビン側係合凸部に係合する端子台側係合凹部または前記ボビン側係合凹部に係合する端子台側係合凸部が形成してある。ボビン側係合凸部と端子台側係合凹部とが係合し、あるいはボビン側係合凹部と端子台側係合凸部とが係合することにより、端子台を端子台接続部に強固に接続することができる。
【００１１】
好ましくは、前記第１ワイヤの一方の第１リード部は、前記端子台の一方側の端部付近に向かって引き出され、前記第２ワイヤの一方の第２リード部は、前記端子台の他方側の端部付近に向かって引き出され、前記第１ワイヤの他方の第１リード部と、前記第２ワイヤの他方の第２リード部とは、前記端子台の中央付近に向かって、隣り合うように引き出され、絶縁アダプタで絶縁されている。
【００１２】
このような構成とすることにより、第１リード部を、端子台の一方側の端部付近まで十分な距離だけ引き出した状態で、端子台の一方側の端部付近の端子に向けて立ち上げることが可能となり、立上時に、第１リード部に弛みや湾曲が生じにくくなる。そのため、端子台の一方側の端部付近の端子に向けて第１リード部をコンパクトに立ち上げることが可能となり、コイル装置の小型化を図ることができる。なお、第２リード部についても同様の効果が得られる。
【００１３】
また、第１ワイヤの他方の第１リード部と、第２ワイヤの他方の第２リード部とを絶縁アダプタで絶縁することにより、各リード部間でショート不良の発生を防止することができる。また、第１リード部と第２リード部との間の空間距離を十分に確保することが可能となり、第１リード部と第２リード部との間の絶縁を良好にすることができる。
【００１４】
好ましくは、前記第１ワイヤの他方の第１リード部と、前記第２ワイヤの他方の第２リード部とは、前記絶縁アダプタの外側と内側に配置してある。このような構成とすることにより、第１ワイヤの他方の第１リード部と、第２ワイヤの他方の第２リード部とが、絶縁アダプタで隔離され、第１リード部と第２リード部との間の絶縁を効果的に図ることができる。
【００１５】
好ましくは、前記ボビンには、外周に前記第１ワイヤおよび前記第２ワイヤが巻回される巻回筒部と、前記巻回筒部の外周に、巻回軸方向に相互に異なる位置にそれぞれ形成してある複数の鍔部とが形成してあり、前記複数の鍔部のいずれかの前記端子台側の周方向の一部には、第１延長鍔部が形成してあり、前記第１延長鍔部には、前記一方の第１リード部を係止する第１リード係止部が形成してある。一方の第１リード部を第１リード係止部に係止することにより、一方の第１リード部が位置ずれすることを防止することができると共に、一方の第１リード部を端子台に設けられた端子に立ち上げるときに、立ち上げやすくなる。
【００１６】
好ましくは、前記複数の鍔部のいずれかの前記端子台側の周方向の一部には、前記第１延長鍔部とは反対方向に延びる第２延長鍔部が形成してあり、前記第２延長鍔部には、前記一方の第２リード部を係止する第２リード係止部が形成してある。このような構成とすることにより、一方の第２リード部が位置ずれすることを防止することができると共に、一方の第２リード部を端子台に設けられた端子に立ち上げるときに、立ち上げやすくなる。
【００１７】
前記第１ワイヤの一方の第１リード部は、前記巻回筒部の外周のうち、前記端子台から最も離れた位置から引き出され、前記第２ワイヤの一方の第２リード部は、前記巻回筒部の外周のうち、前記端子台に最も近い位置から引き出されていてもよい。このような構成とすることにより、第１ワイヤの一方の第１リード部と、第２ワイヤの一方の第２リード部とを、端子台に設けられた端子に立ち上げるときに、立ち上げやすくなる。
【００１８】
好ましくは、前記第１ワイヤおよび前記第２ワイヤは、前記巻回筒部にα巻きされている。このような構成とすることにより、コイル装置の低背化を図ることができるとともに、コイル装置のリーケージ特性の調整を容易にすることができる。
【図面の簡単な説明】
【００１９】
【図１】図１は本発明の第１実施形態に係るコイル装置の斜視図である。
【図２】図２は同コイル装置の分解斜視図である。
【図３Ａ】図３Ａは同コイル装置のIIIA−IIIA線に沿う断面図である。
【図３Ｂ】図３Ｂは同コイル装置のIIIB−IIIB線に沿う断面図である。
【図４Ａ】図４Ａは同コイル装置のボビンの斜視図である。
【図４Ｂ】図４Ｂは同ボビンを別の角度から見た斜視図である。
【図５】図５は同コイル装置が有する絶縁アダプタの斜視図である。
【図６Ａ】図６Ａは同コイル装置が有する端子台の斜視図である。
【図６Ｂ】図６Ｂは同端子台を別の角度から見た斜視図である。
【図７】図７は同コイル装置が有する第１コイル部および第２コイル部の斜視図である。
【図８】図８は本発明の第２実施形態に係るコイル装置の斜視図である。
【発明を実施するための形態】
【００２０】
以下、本発明を、図面に示す実施形態に基づき説明する。
【００２１】
第１実施形態
図１に示す本実施形態に係るコイル装置としてのトランス１０は、たとえばＥＶ（Electric Vehicle：電動輸送機器）、ＰＨＶ（Plug-in Hybrid Vehicle：プラグインハイブリッド自動車）、あるいはコミュータ（車両）用の車載用充電器、あるいは家庭用または産業用電気機器の電源回路、あるいはコンピュータ機器の電源回路などに用いられる。トランス１０は、ボビン２０と、磁性コア（分割コア）４０ａ，４０ｂと、端子台８０とを有する。
【００２２】
なお、図面において、Ｘ軸、Ｙ軸およびＺ軸は、相互に垂直であり、Ｘ軸はボビン２０の長手方向に対応し、Ｙ軸は、一対の分割コア４２ａ，４２ａまたは一対の分割コア４２ｂ，４２ｂが分割される分割線の方向に略一致する。分割線の方向は、Ｘ軸に沿ってもよい。Ｚ軸は、トランス１０の高さ（厚み）方向に対応する。本実施形態では、トランス１０のＺ軸方向の下方が、トランスの設置面となる。
【００２３】
図２に示すように、ボビン２０は、ボビン本体２４と、ボビン本体２４のＸ軸方向の一端上部に形成してある端子台接続部２２を有する。なお、ボビン２０は、たとえばＰＰＳ、ＰＥＴ、ＰＢＴ、ＬＣＰなどのプラスチックで構成してあるが、その他の絶縁部材で構成されても良い。好ましくは、ボビン２０は、耐熱性を有する材料で構成される。強度や熱伝導性を向上させるために、これらの絶縁部材にガラス等のフィラーを充填させてもよい。
【００２４】
ボビン本体２４には、図７に示す第１コイル部３５を構成する第１ワイヤ３７と、第２コイル部３６を構成する第２ワイヤ３８とが巻回される。
【００２５】
図３Ａ、図３Ｂおよび図４Ａに示すように、本実施形態のトランス１０におけるボビン２０の巻回筒部２８のＺ軸方向の両端には、端部隔壁鍔３１および３２が半径方向の外方に延びるように、Ｘ−Ｙ平面に略平行に一体成形してある。端部隔壁鍔３１および３２のＺ軸方向の間に位置する巻回筒部２８には、第１コイル部３５と第２コイル部３６とが、Ｚ軸方向（巻回軸方向）に異なる位置に配置してある。第１コイル部３５では、一次コイルまたは二次コイルの内のいずれか一方を構成する第１ワイヤ３７が巻回してあり、第２コイル部３６では、一次コイルまたは二次コイルの内のいずれか他方を構成する第２ワイヤ３８が巻回してある。
【００２６】
本実施形態では、第１コイル部３５と第２コイル部３６との間に位置する巻回筒部２８の外周には、Ｘ−Ｙ平面に略平行な絶縁隔壁鍔３０が形成してある。第１コイル部３５には、第１ワイヤ３７の巻回軸（Ｚ軸）に沿って相互に隣り合うワイヤ巻回部分相互を各区画Ｓ１，Ｓ２毎に分離する巻回隔壁鍔３３が形成してある。
【００２７】
また、本実施形態では、第２コイル部３６にも、第１コイル部３５と同様に、第２ワイヤ３８の巻回軸（Ｚ軸）に沿って相互に隣り合うワイヤ巻回部分相互を各区画Ｓ１ａ，Ｓ２ａ毎に分離する巻回隔壁鍔３４が形成してある。図４Ｂに示すように、各巻回隔壁鍔３３および３４には、隣接する各区画Ｓ１，Ｓ２相互またはＳ１ａ，Ｓ２ａ相互を連絡する少なくとも１の連絡溝３３ａ，３４ａが形成してある。
【００２８】
図４Ｂに示すように、連絡溝３３ａ，３４ａは、巻回隔壁鍔３３，３４において、Ｘ軸方向の端子台８０が配置してある側とは反対側に形成してある。これらの連絡溝３３ａ，３４ａは、それぞれ各隔壁鍔３３および３４の周方向の一部において、巻回筒部２８の外周壁まで到達する深さで形成してある。
【００２９】
図３Ｂに示すように、第１コイル部３５において、隔壁鍔３０，３３，３１によりＺ軸方向に仕切られた区画Ｓ１，Ｓ２には、第１ワイヤ３７が巻回され、各区画Ｓ１，Ｓ２毎に、ワイヤ巻回部分相互を分離可能になっている。本実施形態では、各区画Ｓ１，Ｓ２におけるＸ軸に沿っての区画幅Ｔ１は、１本のみのワイヤ３７が入り込める幅に設定してある。ただし、本実施形態では、区画幅Ｔ１を、二本以上のワイヤ３７が入り込める幅に設定してもよい。また、本実施形態では、区画幅Ｔ１は、全て同じであることが好ましいが、多少異なっていても良い。
【００３０】
第２コイル部３６においても、第１コイル部３５と同様に、隔壁鍔３０，３４，３２によりＺ軸方向に仕切られた区画Ｓ１ａ，Ｓ２ａには、第２ワイヤ３８が巻回され、各区画Ｓ１ａ，Ｓ２ａ毎に、ワイヤ巻回部分相互を分離可能になっている。本実施形態では、各区画Ｓ１ａ，Ｓ２ａにおけるＸ軸に沿っての区画幅Ｔ２は、１本のみのワイヤ３８が入り込める幅に設定してある。なお、区画幅Ｔ１を、ワイヤ３８の線径に合わせて、区画幅Ｔ２と同じにしても良い。
【００３１】
また、隔壁鍔３０〜３４の高さＨ１は、１本（１層以上）以上のワイヤ３７または３８が入り込める高さに設定してあり、本実施形態では、好ましくは２〜４層のワイヤが巻回できる高さに設定してある。各隔壁鍔３０〜３４の高さＨ１は、全て同じであることが好ましいが、異なっていても良い。
【００３２】
図４Ａに示すように、巻回隔壁鍔３４のＸ軸一方側の周方向の一部には、係合突起３４１が形成してある。係合突起３４１は、Ｘ軸方向に突出する突起からなる。係合突起３４１には、図２に示すように第２ワイヤの他方の第２リード部３８ｂが係止される。
【００３３】
図４Ａに示すように、端部隔壁鍔３２のＸ軸一方側（図２に示す端子台８０が接続される端子台接続部２２側）の周方向の一部には、第１延長鍔部３２１と、第１延長鍔部３２１とはＹ軸反対方向に延びる第２延長鍔部３２２とが形成してある。
【００３４】
第１延長鍔部３２１および第２延長鍔部３２２は、端部隔壁鍔３２の外側に向かって突出しており、端部隔壁鍔３２の外周よりも外側に位置する。本実施形態では、第１延長鍔部３２１の突出量は、第２延長鍔部３２２の突出量よりも大きくなっている。
【００３５】
第１延長鍔部３２１のＹ軸方向端部には、略Ｌ字状に切り欠かれた第１リード係止部３２１ａが形成してある。第１リード係止部３２１ａは、略Ｌ字状の切り欠き部の一部がボビン２０の内側を向くように切り欠かれている。第１リード係止部３２１ａには、第１ワイヤ３７の一方の第１リード部３７ａを係止することが可能となっている。
【００３６】
第２延長鍔部３２２のＹ軸方向端部には、略四角形状に切り欠かれた第２リード係止部３２２ａが形成してある。第２リード係止部３２２ａは、略四角形状の切り欠き部がＹ軸方向の外側を向くように切りかかれている。第２リード係止部３２２ａには、第２ワイヤ３８の一方の第２リード部３８ａを係止することが可能となっている。
【００３７】
第１延長鍔部３２１と端部隔壁鍔３２との間には段差面３２０が形成してある。段差面３２０は、その周囲よりもＺ軸方向の厚みが薄くなるように、略矩形状に切り欠かれた領域である。段差面３２０には、後述する絶縁アダプタ７０の固定部７６が配置される。
【００３８】
巻回隔壁鍔３３のＸ軸一方側（図２に示す端子台８０が接続される端子台接続部２２側）の周方向の一部には、第３延長鍔部３３１が形成してある。第３延長鍔部３３１は、第１延長鍔部３２１と同様に、巻回隔壁鍔３３の外側に向かって突出しており、端部隔壁鍔３３の外縁よりも外側に位置する。
【００３９】
第３延長鍔部３３１には、略四角形状に切り欠かれた第１リード係止部３３１ａが形成してある。第１リード係止部３３１ａは、略四角形状の切り欠き部がボビン２０の外側を向くように切り欠かれており、前述の第１リード係止部３２１ａとはＸ軸に沿って反対側を向いている。
【００４０】
第３リード係止部３３１ａには、前述の第１延長鍔部３２１に形成してある第１リード係止部３２１ａと同様に、第１ワイヤ３７の一方の第１リード部３７ａを係止することが可能となっている。第１リード係止部３２１ａ，３３１ａは、第１ワイヤ３７の一方の第１リード部３７ａをＺ軸方向の上方に導くための通路としての役割を果たす。
【００４１】
巻回隔壁鍔３２には、端子台８０と接続可能な端子台接続部２２が形成してある。本実施形態では、第１延長鍔部３２１と、第２延長鍔部３２２と、端部隔壁鍔３２のうち、各延長鍔部３２１，３２２で挟まれた領域とからなるＹ軸方向に細長い領域が、端子台接続部２２として機能する。
【００４２】
端子台接続部２２には、ボビン側係合凸部２２１ａ，２２１ｂが、それぞれＹ軸方向に所定の間隔で形成してある。ボビン側係合凸部２２１ａ，２２１ｂは、略円柱状の突起からなる。図４Ａに示す例では、ボビン側係合凸部２２１ａは第１延長鍔部３２１に形成してある。また、ボビン側係合凸部２２１ｂは、端部隔壁鍔３２のうち、第１延長鍔部３２１と第２延長鍔部３２２とで挟まれた領域に形成してある。
【００４３】
図１に示すように、端子台接続部２２には、ボビン２０とは別体で構成してある端子台８０が取り付けられる。端子台８０には、図７に示す第１ワイヤ３７の第１リード部３７ａ，３７ｂと、第２ワイヤ３８の第２リード部３８ａ，３８ｂとが引き出されて固定される。端子台接続部２２のＹ軸方向幅およびＸ軸方向幅は、端子台８０の底面のＹ軸方向幅およびＸ軸方向幅に応じて決定される。
【００４４】
本実施形態では、図４Ａに示すように、端子台接続部２２がボビン２０のＸ軸一方側にのみ形成してあるため、図６Ａに示す端子台８０も同様に、ボビン２０のＸ軸一方側にのみ配置されることになる。そのため、端子台８０がボビン２０のＸ軸両側に形成してある従来のトランスに比べて小型化を図ることが可能となっている。
【００４５】
また、本実施形態では、端子台８０は、ボビン２０のＸ軸一方側に配置され、Ｙ軸方向に長い形状を有する。すなわち、端子台８０のＹ軸方向の両端は、楕円形状のボビン本体２４の外側に位置するデッドスペース（楕円が内接する四角スペースの角部）に向けて突出している。このように、トランス１０のデッドスペースを有効利用しつつ、端子台８０が配置されることにより、トランス１０の小型化に寄与することができる。
【００４６】
図６Ｂに示すように、端子台８０の底面には、端子台側係合凹部８５ａ，８５ｂが、それぞれＹ軸方向に所定の間隔を空けて形成してある。端子台側係合凹部８５ａは、Ｙ軸方向に細長い略楕円形状の開口を有し、前述のボビン側係合凸部２２１ａとＹ軸方向に移動自在に係合させることが可能となっている。端子台側係合凹部８５ｂは、略円形状の開口を有し、前述のボビン側係合凸部２２１ｂと係合（嵌合、圧入）させることが可能となっている。端子台８０は、ボビン２０と同一の絶縁部材で構成してもよいが、より成形性に優れた絶縁部材で構成することが好ましい。
【００４７】
図６Ａに示すように、端子台８０には、第１端側リード取付部８３ａと、第１内側リード取付部８３ｂと、第２端側リード取付部８３ｃと、第２内側リード取付部８３ｄとが形成してある。そして、これら各取付部８３ａ〜８３ｄの各々に、図７に示す各リード部３７ａ，３７ｂ，３８ａ，３８ｂの各々が取り付けられる。
【００４８】
第１端側リード取付部８３ａは、端子台８０の一方側のＹ軸方向第１端部付近に形成してある。第２端側リード取付部８３ｃは、端子台８０の他方側のＹ軸方向第２端部付近に形成してある。第１内側リード取付部８３ｂと第２内側リード取付部８３ｄとは、端子台８０の第１端側リード取付部８３ａと第２端側リード取付部８３ｃとの間のスペースに形成してある。
【００４９】
好ましくは、第１内側リード取付部８３ｂは、第１端側リード取付部８３ａと隣接するように形成してある。また、第２内側リード取付部８３ｄは、第２端側リード取付部８３ｃと隣接するように形成してある。
【００５０】
端子台８０には、第１端側通路８１ａと、第１内側通路８１ｂと、第２端側通路８１ｃと、第２内側通路８１ｄとが形成してある。第１端側通路８１ａは、端子台８０のＹ軸方向第１端側に、第１端側リード取付部８３ａと隣接するように配置してあり、Ｘ軸方向に向かって延びている。第１端側通路８１ａは、図７に示す第１リード部３７ａが通過するための通路として利用される。
【００５１】
第１端側通路８１ａのＹ軸方向の外側には第１端側壁部８２ａが形成してある。図７に示す第１リード部３７ａ（より正確には、後述する第１引出本体部３７ａ３）が第１端側壁部８２ａに当接することにより、第１リード部３７ａがＹ軸方向の外側に位置ずれすることを防止することが可能となっている。
【００５２】
第２端側通路８１ｃは、端子台８０のＹ軸方向第２端側に、第２端側リード取付部８３ｃと隣接するように配置してあり、図７に示す第２リード部３８ａが通過するための通路として利用される。図６Ａに示すように、第２端側通路８１ｃは、第２端側リード取付部８３ｃの周囲に沿って屈曲している。より詳細には、第２端側通路８１ｃは、端子台８０のＹ軸方向第２端から斜めに所定距離だけ延びた後、Ｘ軸方向に屈曲して、ボビン２０の外側（ボビン本体２４が形成してある側とはＸ軸に沿って反対側）に向かって所定距離だけ延びている。
【００５３】
第１内側通路８１ｂは、第１端側通路８１ａと第２端側通路８１ｃとの間に、第１端側通路８１ａに近接して配置してある。第１内側通路８１ｂは、Ｘ軸方向に向かって延びており、図７に示す第１リード部３７ｂが通過するための通路として利用される。
【００５４】
図６Ａに示すように、第２内側通路８１ｄは、第１端側通路８１ａと第２端側通路８１ｃとの間に、第２端側通路８１ｃに近接して配置してある。第２内側通路８１ｄは、図７に示す第２リード部３８ｂが通過するための通路として利用される。
【００５５】
図６Ａに示すように、第２内側通路８１ｄのＸ軸方向の外側（ボビン本体２４が形成してある側とは反対側）には第２内側壁部８２ｄが形成してある。図７に示す第２リード部３８ｂは、第２内側壁部８２ｄに巻回するように、第２内側通路８１ｄを通過する。
【００５６】
第１端側リード取付部８３ａには、図２に示す第１端側端子６０ａが、図１に示すような態様で装着される。第１内側リード取付部８３ｂには、図２に示す第１内側端子６０ｂが、図１に示すような態様で装着される。第２端側リード取付部８３ｃには、図２に示す第２端側端子６０ｃが、図１に示すような態様で装着される。第２内側リード取付部８３ｄには、図２に示す第２内側端子６０ｄが、図１に示すような態様で装着される。
【００５７】
図２に示すように、第１端側端子６０ａおよび第１内側端子６０ｂは同様の構成を有し、第２端側端子６０ｃおよび第２内側端子６０ｄは同様の構成を有する。第１端側端子６０ａおよび第１内側端子６０ｂは、図７に示すように、第２リード部３８ａ，３８ｂよりも線径が大きい第１リード部３７ａ，３７ｂを接続することができるよう、第２端側端子６０ｃおよび第２内側端子６０ｄよりも若干大きめに形成してある。
【００５８】
図２に示すように、第１端側端子６０ａは、図７に示す第１リード部３７ａが接続されるリード接続部６１と、回路基板に接続される外部接続部６２とを有する。第２内側端子６０ｂは、第１リード部３７ｂが接続されるリード接続部６１と、回路基板に接続される外部接続部６２とを有する。第２端側端子６０ｃは、第２リード部３８ａが接続されるリード接続部６１と、回路基板に接続される外部接続部６２とを有する。第２内側端子６０ｄは、第２リード部３８ｂが接続されるリード接続部６１と、回路基板に接続される外部接続部６２とを有する。
【００５９】
図１に示すように、本実施形態では、第１端側端子６０ａ、第１内側端子６０ｂ、第２端側端子６０ｃおよび第２内側端子６０ｄは、各々の外部接続部６２がボビン本体２４に近接して配置されるように、端子台８０に設けられている。
【００６０】
また、本実施形態では、第１端側端子６０ａおよび第２端側端子６０ｃは、第１端側端子６０ａおよび第２端側端子６０ｃの各々の外部接続部６２が巻回軸方向と平行な方向を向くように、端子台８０に設けられている。
【００６１】
図４Ａに示すように、端子台接続部２２とはＸ軸方向の反対側のボビン本体２４には突出片２９が形成してある。突出片２９は、ＹＺ平面に略平行な面を有し、ボビン本体２４の上面からＺ軸の上方に向かって突出している。
【００６２】
図１に示すように、端子台接続部２２には、絶縁アダプタ７０が取り付けられている。図５に示すように、絶縁アダプタ７０は、側面部７１と、上面部７２と、底面部７３と、湾曲部７４と、仕切部７５と、固定部７６と、壁部７７とを有する。
【００６３】
側面部７１は、ＹＺ平面に略平行な面を有する。上面部７２は、ＸＹ平面に略平行な面を有し、側面部７１の上端に接続してある。湾曲部７４は、ＸＹ平面に垂直な面からなり、ボビン２０の外周形状に応じた湾曲面を有し、側面部７１のＹ軸方向一端に接続してある。底面部７３は、ＸＹ平面に略平行な面からなり、側面部７１の下端および湾曲部７４の下端に接続してある。
【００６４】
仕切部７５は、ＸＺ平面に略平行な面を有し、側面部７１と湾曲部７４との境界付近に接続され、当該境界付近からＸ軸方向の外側に向かって突出している。固定部７６は、湾曲部７４の上端に接続してあり、詳細な図示は省略するがＸ軸方向の内側に溝を有する。壁部７７は、ＹＺ平面に略平行な面を有し、湾曲部７４のＹ軸方向一端に接続してある。
【００６５】
上面部７２と、側面部７１と、底面部７３とで形成される略Ｃ字型の部分には、第１凸状部７８１と、第２凸状部７８２とが形成してある。第１凸状部７８１および第２凸状部７８２は、それぞれ凸形状からなる。第１凸状部７８１と第２凸状部７８２との間には、溝部７８３が形成してある。第２凸状部７８２と仕切部７５との間には、ワイヤ挿通部７８４が形成してある。
【００６６】
ワイヤ挿通部７８４は、溝形状を有し、図１に示すように、第１ワイヤ３７の他方の第１リード部３７ｂが通過する。一方、第２ワイヤ３８の他方の第２リード部３８ｂは、側面部７１を挟んで、第１ワイヤ３７の他方の第１リード部３７ｂとは反対側に配置してある。すなわち、本実施形態では、第１ワイヤ３７の他方の第１リード部３７ｂと、第２ワイヤ３８の他方の第２リード部３８ｂとは、絶縁アダプタ７０の外側と内側に配置してある。
【００６７】
図４Ａに示す段差面３２０を図５に示す固定部７６の溝（図示略）に嵌合させ、図４Ａに示す絶縁隔壁鍔３０のＸ軸一方側の底面に図５に示す底面部７３を当接させることにより、絶縁アダプタ７０は、ボビン２０に固定される。詳細な図示は省略するが、壁部７７は、絶縁アダプタ７０を端子台接続部２２に取り付けたときに、第１ワイヤ３７の第１リード部３７ａと、コア４０ａ，４０ｂとの間に配置され（図１参照）、第１リード部３７ａとコア４０ａ，４０ｂとの絶縁を効果的に図ることが可能となっている。
【００６８】
特に、本実施形態では、第１凸状部７８１と、第２凸状部７８２と、溝部７８３とで形成される凹凸形状によって、第１ワイヤ３７の他方の第１リード部３７ｂと、第２ワイヤ３８の他方の第２リード部３８ｂとの間の絶縁距離（沿面距離）を確保し、各リード部３７ｂ，３８ｂ間の絶縁を効果的に図ることができる。
【００６９】
なお、絶縁アダプタ７０を端子台接続部２２に取り付けたときに、湾曲部７４は、図４Ａに示す巻回隔壁鍔３４および絶縁隔壁鍔３０のＸ軸一方側の周方向の一部を覆うように配置される。
【００７０】
図２に示すように、本実施形態では、磁性コア４０ａ，４０ｂは、それぞれ同じ形状を持つ２つの分割コア４２ａ，４２ａおよび４２ｂ，４２ｂに分離可能である。本実施形態では、各分割コア４２ａ，４２ａおよび４２ｂ，４２ｂは、全て同じ形状であり、Ｚ−Ｙ断面で断面Ｅ字形状を有し、いわゆるＥ型コアを構成する。Ｚ軸方向の下部に配置される他の一対の分割コア４２ｂ，４２ｂも、Ｚ−Ｙ断面で断面Ｅ字形状を有し、いわゆるＥ型コアを構成する。
【００７１】
Ｚ軸方向の上側に配置される各分割コア４２ａは、Ｙ軸方向に延びるベース部４４ａと、ベース部４４ａのＹ軸方向の両端からＺ軸方向に突出している一対の中脚部４６ａおよび側脚部４８ａとを有する。Ｚ軸方向の下側に配置される各分割コア４２ｂは、Ｙ軸方向に延びるベース部４４ｂと、ベース部４４ｂのＹ軸方向の両端からＺ軸方向に突出している一対の中脚部４６ｂおよび側脚部４８ｂとを有する。
【００７２】
ベース部４４ａ，４４ｂの外面は、ボビン本体２４の一端上部に接続してある端子台８０の内側面（ボビン２０のＸ軸方向の中心側）に形成された端子台突出部８４と、ボビン本体２４の他端上部に形成してある突出片２９の内側面とに当接しており、これにより磁性コア４０ａ，４０ｂがＸ軸方向またはＹ軸方向に位置ずれすることを防止することが可能となっている。
【００７３】
一対の中脚部４６ａは、ボビン２０のコア脚用貫通孔２６の内部にＺ軸方向の上方から挿入されるようになっている。同様に、一対の中脚部４６ｂは、ボビン２０のコア脚用貫通孔２６の内部にＺ軸方向の下方から挿入され、貫通孔２６の内部において、それらの先端は、中脚部４６ａの先端に接触または所定のギャップで向き合うように構成してある。
【００７４】
貫通孔２６を構成する巻回筒部２８の内周面でＸ軸方向の対向位置には、分離用凸部２７（図２参照）がＺ軸方向に沿って形成してある。分離用凸部２７は、中脚部４２ａ，４２ａの間に介在されると共に、中脚部４２ｂ，４２ｂの間に介在され、これらの中脚部４２ａ，４２ａまたは中脚部４２ｂ，４２ｂの相互が、貫通孔２６の内部において、所定の隙間で向き合い、接触しないように構成してある。所定の隙間は、分離用凸部２７のＹ軸方向の厚みにより調整することができる。
【００７５】
中脚部４２ａ，４２ａまたは中脚部４２ｂ，４２ｂは、それぞれ組み合わされた状態で、貫通孔２６の内周面形状に一致するように、Ｘ軸方向に長い楕円柱形状を有しているが、その形状は、特に限定されず、貫通孔２６の形状に合わせて変化させても良い。また、側脚部４８ａ，４８ｂは、カバー５０におけるカバー本体５２の外周面形状に合わせた内側凹曲面形状を有し、その外面は、Ｘ−Ｚ平面に平行な平面を有している。本実施形態では、各分割コア４２ａ，４２ｂの材質は、金属、フェライト等の軟磁性材料が挙げられるが、特に限定されない。
【００７６】
カバー５０のカバー本体５２は、ボビン本体２４の外周を覆うような形状を有する。カバー本体５２のＺ軸方向の両端には、カバー本体５２からボビン本体２４に向けて略垂直方向に折り曲げられている係止片５４が一体成形してある。
【００７７】
カバー本体５２のＺ軸方向の両側に形成してある一対の係止片５４は、係止突出片５４０を有する。係止突出片５４０の略中心部には、孔５４０ａが形成してある。
【００７８】
係止突出片５４０は、図４Ａに示す段差部２５の段差幅広部２５０に固定される。より詳細には、係止突出片５４０を段差幅広部２５０に固定すると、段差幅広部２５０に形成してある突起２５０ａが、係止突出片５４０の孔５４０ａに嵌合する。これにより、一対の係止片５４が、ボビン本体２４のＺ軸方向の上下面を挟み込むように取り付けられ、ボビン本体２４の上面に形成してある段差部２５に配置される。
【００７９】
図２に示すように、カバー本体５２のＸ軸方向の両端外面には、それぞれＺ軸方向に延びる側脚ガイド片５６が一体に成形してある。図１に示す例では、側脚ガイド片５６は、ベース部４４ａ，４４ｂのＸ軸方向外側の外面に当接しているが、側脚部４８ａ，４８ｂのＸ軸方向外側の外面にも当接していてもよい。一対の側脚ガイド片５６の間に位置するカバー本体５２の外面には、側脚部４８ａ，４８ｂの内面が接触し、側脚部４８ａ，４８ｂのＸ軸方向の移動が、一対の側脚ガイド片５６により制限されるようになっている。
【００８０】
側脚ガイド片５６のＸ軸方向の片側外面には、略Ｌ字状からなる仕切部５８が形成してある。図１に示すように、仕切部５８は、カバー５０をボビン２０に取り付けたときに、第１ワイヤ３７の一方の第１リード部３７ａの近傍に配置される。
【００８１】
仕切部５８は、第１ワイヤ３７の一方の第１リード部３７ａとコア４０ａ，４０ｂとの間の絶縁距離（空間距離および沿面距離）を確保するとともに、第１リード部３７ａをＺ軸上方に案内するための役割を果たす。
【００８２】
なお、カバー５０は、ボビン２０と同様なプラスチックなどの絶縁部材で構成してある。
【００８３】
図１および図７に示すように、本実施形態では、第１ワイヤ３７の一対の第１リード部３７ａ，３７ｂのうち、一方の第１リード部３７ａは、端子台８０の一方側のＹ軸方向第１端部付近に向かって引き出され、第１端側端子６０ａに向かって立ち上げられている。
【００８４】
図７に示すように、第１リード部３７ａは、第１端側引出部３７ａ１と、立上部３７ａ２と、引出本体部３７ａ３とを有する。第１端側引出部３７ａ１は、図３Ｂに示す区画Ｓ１（巻回筒部２８の外周のうち、端子台８０から最も離れた位置）から、端子台８０の一方側のＹ軸方向第１端部付近まで引き出されている。立上部３７ａ２は、巻回軸方向（Ｚ軸方向）に平行な方向に立ち上げられている。引出本体部３７ａ３は、図６Ａに示す第１端側通路８１ａを通過し、ボビン２０の外側（ボビン本体２４が形成してある側とはＸ軸に沿って反対側）に引き出されている。引出本体部３７ａ３の一端は、図１に示すように、第１端側端子６０ａに接続されている。
【００８５】
また、図１および図７に示すように、一対の第１リード部３７ａ，３７ｂのうち、他方の第１リード部３７ｂは、端子台８０の第１端側端子６０ａと第２端側端子６０ｃとの間に位置する第１内側端子６０ｂに向かって立ち上げられている。
【００８６】
図７に示すように、第１リード部３７ｂは、立上部３７ｂ２と、引出本体部３７ｂ３とを有する。立上部３７ｂ２は、図３Ｂに示す区画Ｓ２から、端子台８０の中央付近に向かって、巻回軸方向に平行な方向に立ち上げられている。引出本体部３７ｂ３は、図６Ａに示す第１内側通路８１ｂを通過し、ボビン２０の外側（ボビン本体２４が形成してある側とはＸ軸に沿って反対側）に引き出されている。引出本体部３７ｂ３の一端は、図１に示すように、第１内側端子６０ｂに接続されている。
【００８７】
また、第２ワイヤ３８の一対の第２リード部３８ａ，３８ｂのうち、一方の第２リード部３８ａは、端子台８０の他方側のＹ軸方向第２端部付近に向かって引き出され、第２端部付近の第２端側端子６０ｃに向かって立ち上げられている。
【００８８】
図７に示すように、第２リード部３８ａは、第２端側引出部３８ａ１と、立上部３８ａ２と、引出本体部３８ａ３とを有する。第２端側引出部３８ａ１は、図３Ｂに示す区画Ｓ２ａ（巻回筒部２８の外周のうち、端子台８０に最も近い位置）から、端子台８０の他方側の第２端部付近まで引き出されている。立上部３８ａ２は、巻回軸方向に平行な方向に立ち上げられている。引出本体部３８ａ３は、図６Ａに示す第２端側通路８１ｃを通過し、ボビン２０の外側（ボビン本体２４が形成してある側とはＸ軸に沿って反対側）に引き出されている。引出本体部３８ａ３の一端は、図１に示すように、第２端側端子６０ｃに接続されている。
【００８９】
また、一対の第２リード部３８ａ，３８ｂのうち、他方の第２リード部３８ｂは、端子台８０の第１端側端子６０ａと第２端側端子６０ｃとの間に位置する第２内側端子６０ｄに向かって立ち上げられている。
【００９０】
図７に示すように、第２リード部３８ｂは、立上部３８ｂ２と、引出本体部３８ｂ３とを有する。立上部３８ｂ２は、図３Ｂに示す区画Ｓ１ａから、端子台８０の中央付近に向かって、第１ワイヤ３７の他方の第１リード部３７ｂの立上部３７ｂ２と隣り合うように、巻回軸方向に平行な方向に立ち上げられている。引出本体部３８ｂ３は、図６Ａに示す第２内側通路８１ｄを通過して、ボビン２０の外側（ボビン本体２４が形成してある側とはＸ軸に沿って反対側）に引き出されている。引出本体部３８ｂ３の一端は、図１に示すように、第１内側端子６０ｄに接続されている。
【００９１】
図４Ｂに示すように、本実施形態では、巻回隔壁鍔３４のＸ軸他方側に形成してある連絡溝３４ａを利用して、第２ワイヤ３８が巻回筒部２８にα巻きされている。また、巻回隔壁鍔３３のＸ軸他方側に形成してある連絡溝３３ａを利用して、第１ワイヤ３７が巻回筒部２８にα巻きされている。なお、第１ワイヤ３７および第２ワイヤ３８の巻回方法は、α巻きに限定されるものではなく、通常巻きでもよい。
【００９２】
トランス１０の製造では、まず、ボビン２０と、第１ワイヤ３７と、第２ワイヤ３８と、カバー５０と、磁性コア（分割コア）４０ａ，４０ｂと、ボビン２０とは別体に構成された端子台８０とを準備する。端子台８０には、第１端側端子６０ａと、第１内側端子６０ｂと、第２端側端子６０ｃと、第２内側端子６０ｄとがインサート成形あるいは接着されている。
【００９３】
次に、図６Ｂに示す端子台８０の端子台側係合凹部８５ａ，８５ｂに、ボビン２０のボビン側係合凸部２２１ａ，２２１ｂを係合させ、端子台接続部２２を介して、端子台８０をボビン２０に接続する。
【００９４】
次に、第２コイル部３６を形成する。たとえば、リード部３８ａ，３８ｂの間の略中央に位置する第２ワイヤ３８の中央部分を、図４Ｂに示す連絡溝３４ａに通し、隔壁鍔３２，３４，３０の間に、第２ワイヤ３８をα巻きする。
【００９５】
その後に、第２リード部３８ａに近い側の第２ワイヤ３８の一部は、図３Ｂに示す区画Ｓ２ａの内部で、たとえば左回りに巻回筒部２８の外周に複数層で巻回する。同時に、第２リード部３８ｂに近い側の第２ワイヤ３８の他の一部は、区画Ｓ１ａの内部で、区画Ｓ２ａにおける巻き方とは逆の方向（または同一方向でもよい）に、巻回筒部２８の外周に複数層で巻回する。
【００９６】
ボビン２０に対して第２ワイヤ３８を巻回した後、図７に示す第２リード部３８ａの第２端側引出部３８ａ１を、図３Ｂに示す区画Ｓ２ａから端子台８０の他方側の端部付近に向かって引き出し、Ｚ軸方向に屈曲させる。そして、端子台８０の他方側の端部付近の第２端側端子６０ｃに向かって立上部３８ａ２を立ち上げ、図６Ａに示す第２端側通路８１ｃを通過するように、Ｙ軸方向およびＸ軸方向に屈曲させる。そして、引出本体部３８ａ３をＸ軸方向の一端側に引き出して、引出本体部３８ａ３の一端を図２に示す第２端側端子６０ｃのリード接続部６１に接続する（挟み込む）。
【００９７】
また、図７に示す第２リード部３８ｂの立上部３８ｂ２を、図４Ａに示す係合突起３４１に係合させつつ、図３Ｂに示す区画Ｓ１ａからＺ軸方向に向かって立ち上げ、図６Ａに示す第２内側通路８１ｄを通過するように、Ｘ軸方向およびＹ軸方向に屈曲させる。そして、引出本体部３８ｂ３をＸ軸方向の外側に引き出して、引出本体部３８ｂ３の一端を図２に示す第２端側端子６０ｄのリード接続部６１に接続する。
【００９８】
次に、絶縁アダプタ７０の固定部７６で端子台接続部２２の段差面３２０を把持し、絶縁アダプタ７０をボビン２０に取り付ける。
【００９９】
次に、第１コイル部３５を形成する。たとえば、リード部３７ａ，３７ｂの間の略中央に位置する第１ワイヤ３７の中央部分を、図４Ｂに示す連絡溝３３ａに通し、隔壁鍔３１，３３，３０の間に、第１ワイヤ３７をα巻きする。
【０１００】
ボビン２０に対して第１ワイヤ３７を巻回した後、図１および図７に示すように、第１リード部３７ａの第１端側引出部３７ａ１を、図３Ｂに示す区画Ｓ１から端子台８０の一方側の端部付近に向かって引き出し、Ｚ軸方向に屈曲させる。そして、立上部３７ａ２を端子台８０の一方側の端部付近の第１端側端子６０ａに向かって立ち上げ、図６Ａに示す第１端側通路８１を通過するように、Ｘ軸方向に屈曲させる。そして、引出本体部３７ａ３をＸ軸方向の一端側に引き出して、引出本体部３７ａ３の一端を図２に示す第１端側端子６０ａのリード接続部６１に接続する。
【０１０１】
また、図７に示す第１リード部３７ｂの立上部３７ｂ２を、図１および図５に示す絶縁アダプタ７０のワイヤ挿通路７８４を通過するように、図３Ｂに示す区画Ｓ２からＺ軸方向に向かって立ち上げ、図６Ａに示す第１内側通路８１ｂを通過するように、Ｙ軸方向およびＸ軸方向に屈曲させる。そして、引出本体部３７ｂ３をＸ軸方向の一端側に引き出して、引出本体部３７ｂ３の一端を図２に示す第１端側端子６０ｂのリード接続部６１に接続する。
【０１０２】
なお、第１コイル部３５および第２コイル部３６の形成は、自動巻機を用いて行っても良い。また、ワイヤ３７および３８は、単線で構成されても良く、あるいは撚り線で構成されても良く、絶縁被覆導線で構成されることが好ましい。第２ワイヤ３８は、第１ワイヤ３７と同じであっても良いが、異なっていても良い。本実施形態では、第１ワイヤ３７の外径は、第２ワイヤ３８の外径よりも大きく、たとえばφ１．０〜φ３．０ｍｍであることが好ましい。
【０１０３】
次に、引出本体部３７ａ３，３７ｂ３，３８ａ３，３８ｂ３が板状になるように、図１に示す各端子６０ａ〜６０ｄのリード接続部６１に引出本体部３７ａ３，３７ｂ３，３８ａ３，３８ｂ３を圧着する。
【０１０４】
その後、図２に示す一対のカバー５０をボビン２０に取り付ける。その後に、Ｘ軸方向に分離された一対の分割コア４２ａ，４２ａの中脚部４６ａと、Ｘ軸方向に分離された一対の分割コア４２ｂ，４２ｂの中脚部４６ｂを、コア脚用貫通孔２６のＸ軸方向の両側から挿入する。
【０１０５】
その結果、図３Ｂに示すように、脚部４６ａ，４６ｂのＺ軸方向の先端同士が貫通孔２６の内部において、所定のギャップで向き合うように配置される。脚部４６ａ，４６ｂのＸ軸方向の先端同士は、直接に接触するように突き合わされていてもよい。いずれにしても貫通孔２６には、分離可能な磁性コアの脚部４６ａ，４６ｂが挿入されて、磁気回路が形成される。なお、これらの分割コア４２ａ，４２ｂを、ボビン２０に対して接着剤などで固定しても良い。
【０１０６】
次に、必要に応じてトランス１０をケース（図示略）に収納して、ポッティング脂材をポッティングする。ポッティング樹脂としては、注入後も軟質なシリコーン樹脂、ウレタン樹脂、エポキシ樹脂などで構成され、ポッティング樹脂の縦弾性率は、好ましくは０．１〜１００ＭＰａである。
【０１０７】
本実施形態に係るトランス１０では、端子台８０が、ボビン２０とは別体で構成してあり、ボビン２０に取り付けられている。そのため、端子台８０の仕様変更が生じた場合には、ボビン２０に取り付けられた端子台８０を、その仕様に即した端子台に交換するだけでよく、ボビン２０全体を一から作り直す必要がない。したがって、端子台８０の仕様変更に柔軟に対応することが可能となり、設計の自由度の高いトランス１０を提供することができる。
【０１０８】
また、ボビン２０と端子台８０を別個に成形することが可能となり、各々に適した材料を用いて成形を行うことができる。たとえば、熱伝導性の高い材料でボビン２０を成形することにより、熱伝導性に優れたトランス１０を得ることができる。また、ボビン２０を構成する材料にフィラーを含めることにより、強度に優れたボビン２０を得ることが可能となり、トランス１０の強度を高めることができる。また、成形性に優れた材料で端子台８０を成形することにより、複雑な形状からなる端子台８０に対しても、寸法精度を高めることが可能となり、トランス１０の小型化に寄与することができる。
【０１０９】
また、ボビン２０を成形する際には、端子台８０の仕様を考慮に入れた金型を用いる必要がなく、ボビン２０の仕様に即した金型を用いることが可能である。そのため、端子台８０が一体化してあるボビンを成形する場合に比べて、金型の構造をシンプルにすることができ、製造が容易になる。
【０１１０】
また、本実施形態では、ボビン２０が、端子台８０と接続可能な端子台接続部２２を有する。このような構成としたため、端子台接続部２２を介して、端子台８０をボビン２０に容易に取り付けることができる。
【０１１１】
また、端子台接続部２２には、ボビン側係合凸部２２１ａ，２２１ｂが形成してあり、端子台８０には、ボビン側係合凸部２２１ａ，２２１ｂに係合する端子台側係合凹部８５ａ，８５ｂが形成してある。ボビン側係合凸部２２１ａ，２２１ｂと端子台側係合凹部８５ａ，８５ｂとが係合することにより、端子台８０を端子台接続部２２に強固に接続することができる。
【０１１２】
また、第１ワイヤ３７の一方の第１リード部３７ａは、端子台８０の一方側の端部付近に向かって引き出され、第２ワイヤ３８の一方の第２リード部３８ａは、端子台８０の他方側の端部付近に向かって引き出される。第１ワイヤ３７の他方の第１リード部３７ｂと、第２ワイヤ３８の他方の第２リード部３８ｂとは、端子台８０の中央付近に向かって、隣り合うように引き出され、絶縁アダプタ７０で絶縁されている。
【０１１３】
このような構成としたため、第１リード部３７ａを、端子台８０の一方側の端部付近まで十分な距離だけ引き出した状態で、端子台８０の一方側の端部付近の端子６０ａに向けて立ち上げることが可能となり、立上時に、第１リード部３７ａに弛みや湾曲が生じにくくなる。そのため、端子台８０の一方側の端部付近の端子６０ａに向けて第１リード部３７ａをコンパクトに立ち上げることが可能となり、トランス１０の小型化を図ることができる。なお、第２リード部３８ａについても同様の効果が得られる。
【０１１４】
また、第１ワイヤ３７の他方の第１リード部３７ｂと、第２ワイヤ３８の他方の第２リード部３８ｂとを絶縁アダプタ７０で絶縁することにより、各リード部３７ｂ，３８ｂ間でショート不良の発生を防止することができる。また、第１リード部３７ｂと第２リード部３８ｂとの間の空間距離を十分に確保することが可能となり、第１リード部３７ｂと第２リード部３８ｂとの間の絶縁を良好にすることができる。
【０１１５】
また、第１ワイヤ３７の他方の第１リード部３７ｂと、第２ワイヤ３８の他方の第２リード部３８ｂとは、絶縁アダプタ７０（側面部７１）の外側と内側に配置してある。このような構成としたため、第１ワイヤ３７の他方の第１リード部３７ｂと、第２ワイヤ３８の他方の第２リード部３８ｂとが、絶縁アダプタ７０で隔離され、第１リード部３７ｂと第２リード部３８ｂとの間の絶縁を効果的に図ることができる。
【０１１６】
また、第１リード係止部３２１ａ，３３１ａに第１ワイヤ３７の一方の第１リード部３７ａを係止している。一方の第１リード部３７ａを第１リード係止部３２１ａ，３３１ａに係止することにより、一方の第１リード部３７ａが位置ずれすることを防止することができると共に、一方の第１リード部３７ａを端子台８０に設けられた端子６０ａに立ち上げるときに、立ち上げやすくなる。
【０１１７】
また、第２延長鍔部３２２には、一方の第２リード部３８ａを係止する第２リード係止部３２２ａが形成してある。このような構成としたため、一方の第２リード部３８ａが位置ずれすることを防止することができると共に、一方の第２リード部３８ａを端子台８０に設けられた端子６０ｃに立ち上げるときに、立ち上げやすくなる。
【０１１８】
また、第１ワイヤ３７の一方の第１リード部３７ａは、巻回筒部２８の外周のうち、端子台８０から最も離れた位置から引き出され、第２ワイヤ３８の一方の第２リード部３８ａは、巻回筒部２８の外周のうち、端子台８０に最も近い位置から引き出されている。このような構成としたため、第１ワイヤ３７の一方の第１リード部３７ａと、第２ワイヤ３８の一方の第２リード部３８ａとを、端子台８０に設けられた端子６０ａ，６０ｃに立ち上げるときに、立ち上げやすくなる。
【０１１９】
また、第１ワイヤ３７および第２ワイヤ３８は、巻回筒部２８にα巻きされている。このような構成としたため、トランス１０の低背化を図ることができるとともに、トランス１０のリーケージ特性の調整を容易にすることができる。
【０１２０】
第２実施形態
図８に示す実施形態に係るトランス１１０は、以下に示す以外は、第１実施形態に係るトランス１０と同様な構成を有し、同様な作用効果を奏する。また、図８に示すトランス１１０における各部材は、図１〜図７に示す実施形態に係るトランス１０における各部材に対応し、対応する部材には、同一符号を付してあり、その説明は一部省略する。
【０１２１】
図８に示すように、トランス１１０は端子台１８０を有する。端子台１８０には、第１端側通路１８１ａと、第１内側通路１８１ｂと、第２端側通路１８１ｃと、第２内側通路１８１ｄとが形成してある。各通路１８１ａ〜１８１ｄは、それぞれ所定の間隔で配置してあり、Ｚ軸方向に延びている。
【０１２２】
本実施形態では、第１端側端子１６０ａ、第１内側端子１６０ｂ、第２端側端子１６０ｃおよび第２内側端子１６０ｄは、各々のリード接続部１６１がボビン本体２４に近接して配置されるように、端子台１８０に設けられている。
【０１２３】
また、各端子１６０ａ〜１６０ｄは、各々のリード接続部１６１が巻回軸方向と平行な方向を向き、Ｚ軸方向に突出するように、端子台１８０に設けられている。また、各端子１６０ａ〜１６０ｄは、各々の外部接続部１６２が巻回軸方向と垂直な方向を向き、Ｘ軸方向の外側に突出するように、端子台１８０に設けられている。
【０１２４】
本実施形態においても、第１実施形態と同様の効果が得られる。加えて、本実施形態では、端子台１８０のＸ軸方向の外側で、端子１６０ａ〜１６０ｄを回路基板に接続することができる。また、本実施形態では、絶縁アダプタ７０が不要であり、トランス１１０の構成を簡素にし、トランス１１０の小型化を効果的に図ることができる。
【０１２５】
なお、本発明は、上述した実施形態に限定されるものではなく、本発明の範囲内で種々に改変することができる。
【０１２６】
上記各実施形態では、本発明のトランスへの適用例について説明したが、本発明はトランスだけではなく、他のコイル装置にも適用することができる。
【０１２７】
上記各実施形態において、端子台接続部２２に係合凹部を形成し、端子台８０の底面に係合凹部に係合する係合凸部を形成してもよい。
【０１２８】
上記各実施形態では、ボビン側係合凸部２２１ａは第１延長鍔部３２１に形成してあったが、端部隔壁鍔３２に形成してあってもよい。また、上記各実施形態では、ボビン側係合凸部２２１ｂは端部隔壁鍔３２に形成してあったが、第２延長鍔部３２２に形成してあってもよい。
【０１２９】
上記各実施形態において、ボビン側係合凸部２２１ａ，２２１ｂおよび端子台側係合凹部８５ａ，８５ｂを省略し、接着剤や留め具、その他の接続手段を介して、端子台接続部２２に端子台８０を接続してもよい。
【０１３０】
上記各実施形態において、第１延長鍔部３２１と第２延長鍔部３２２とを省略し、巻回隔壁鍔３３のＸ軸一方側の領域のみからなる端子台接続部２２を形成してもよい。あるいは、端子台接続部２２を、巻回隔壁鍔３３のＸ軸一方側の領域と、第１延長鍔部３２１または第２延長鍔部３２２とで形成してもよい。
【０１３１】
上記各実施形態において、第１延長鍔部３２１および第２延長鍔部３２１は、図４Ａに示すいずれの鍔に形成してあってもよい。
【０１３２】
上記各実施形態では、図１等に示すように、各リード取付部８３ａ，８３ｂ，８３ｃ，８３ｄに、各端子６０ａ，６０ｂ，６０ｃ，６０ｄが装着されていた。しかしながら、各端子６０ａ，６０ｂ，６０ｃ，６０ｄは、必ずしも各リード部取付部８３ａ，８３ｂ，８３ｃ，８３ｄに装着されている必要はなく、各リード３７ａ，３７ｂ，３８ａ，３８ｂの先端に設けられていてもよい。
【０１３３】
また、上記各実施形態において、分割コアであるＥコア−Ｅコアの組合せにより、磁性コアを構成したが、Ｅコア−Ｉコアの組合せにより、磁性コアを組み立てても良い。
【符号の説明】
【０１３４】
１０，１１０…  トランス
２０…  ボビン
２２…  端子台接続部
２２１ａ，２２１ｂ…  ボビン側係合凸部
２４・・・  ボビン本体
２５・・・  段差部
２５０…  段差幅広部
２５０ａ…  突起
２６・・・  コア脚用貫通孔
２７・・・  分離用凸部
２８・・・  巻回筒部
２９・・・  突出片
３０…  絶縁隔壁鍔
３１，３２…  端部隔壁鍔
３２０…  段差面
３２１…  第１延長鍔部
３２１ａ…  第１リード係止部
３２２…  第２延長鍔部
３２２ａ…  第２リード係止部
３３，３４…  巻回隔壁鍔
３３１…  第３延長鍔部
３３１ａ…  第１リード係止部
３３ａ，３４ａ…  連絡溝
３５…  第１コイル部
３６…  第２コイル部
３７…  第１ワイヤ
３７ａ，３７ｂ…  第１リード部
３８…  第２ワイヤ
３８ａ，３８ｂ…  第２リード部
４０ａ，４０ｂ…  磁性コア
４２ａ，４２ｂ…  分割コア
４４ａ，４４ｂ…  ベース部
４６ａ，４６ｂ…  中脚部
４８ａ，４８ｂ…  側脚部
５０…  カバー
５２…  カバー本体
５４…  係止片
５４０・・・  係止突出片
５４０ａ…  孔
５６…  側脚ガイド片
５８…  仕切部
６０ａ，１６０ａ・・・  第１端側端子
６０ｂ，１６０ｂ・・・  第１内側端子
６０ｃ，１６０ｃ・・・  第２内側端子
６０ｄ，１６０ｄ・・・  第２端側端子
６１，１６１・・・  リード接続部
６２，１６２・・・  外部接続部
７０・・・  絶縁アダプタ
７１…  側面部
７２…  上面部
７３…  底面部
７４…  湾曲部
７５…  仕切部
７６…  固定部
７７…  壁部
７８１…  第１凸状部
７８２…  第２凸状部
７８３…  溝部
７８４…  ワイヤ挿通部
８０，１８０・・・  端子台
８１ａ，１８１ａ・・・  第１端側通路
８１ｂ，１８１ｂ・・・  第１内側通路
８１ｃ，１８１ｃ・・・  第２内側通路
８１ｄ，１８１ｄ・・・  第２端側通路
８２ａ・・・  第１端側壁部
８３ａ・・・  第１端側リード取付部
８３ｂ・・・  第１内側リード取付部
８３ｃ・・・  第２内側リード取付部
８３ｄ・・・  第２端側リード取付部
８４…  端子台突出部
８５ａ，８５ｂ…  端子台側係合凹部
【図１】
2019134097.tif 000003
【図２】
2019134097.tif 000004
【図３Ａ】
2019134097.tif 000005
【図３Ｂ】
2019134097.tif 000006
【図４Ａ】
2019134097.tif 000007
【図４Ｂ】
2019134097.tif 000008
【図５】
2019134097.tif 000009
【図６Ａ】
2019134097.tif 000010
【図６Ｂ】
2019134097.tif 000011
【図７】
2019134097.tif 000012
【図８】
2019134097.tif 000013